(57)【特許請求の範囲】
【請求項１】
下記工程を具備する、送信信号路からの変調された信号の位相回転を供給するための方法：
少なくとも１つの制御信号を受信する、各制御信号は前記送信信号路に関連する１つ以上の回路エレメントの特定の特性を調節するように供給され、前記少なくとも１つの制御信号の１つは、前記送信信号路のアクティブ回路エレメントのバイアス電流を調節するように供給される；
前記受信した少なくとも１つの制御信号により定義される動作状態に対応する位相回転を決定する；および
前記決定された位相回転に関連した量だけ変調された信号の位相を回転する。
【請求項２】
前記回転は複素数乗算により実行される、請求項１の方法。
【請求項３】
前記回転はデジタル的に実行される、請求項１の方法。
【請求項４】
前記回転は、前記少なくとも１つの回路エレメントが調節されると、変調された信号の位相不連続性が低減されるように特定の指定された時に実行される、請求項１の方法。
【請求項５】
さらに下記工程を具備する、請求項１の方法：
少なくとも１つのデータストリームおよび１対のＰＮシーケンスを受信する；および
前記少なくとも１つのデータストリームを前記受信した１対のＰＮシーケンスで拡散する；
前記変調された信号の位相は前記ＰＮシーケンスの位相を回転することにより回転される。
【請求項６】
前記ＰＮシーケンスはＩＳ−９５−Ａ規格により定義されるショートＰＮＩおよびＰＮＱシーケンスにより構成される、請求項５の方法。
【請求項７】
前記決定はルックアップテーブルで実行される、請求項１の方法。
【請求項８】
前記ルックアップテーブルはプログラマブルである、請求項７の方法。
【請求項９】
前記変調された信号の位相は離散インクリメントで回転される、請求項１の方法。
【請求項１０】
前記変調された信号の位相はπ／２のインクリメントで回転される、請求項９の方法。
【請求項１１】
前記決定された位相回転はＫビットの分解能を有し、Ｋは１より大きい、請求項１の方法。
【請求項１２】
前記決定された位相回転は２ビットの分解能を有する、請求項１１の方法。
【請求項１３】
前記少なくとも１つの制御信号の１つは、前記送信信号路の可変利得エレメントの利得を調整するように供給される、請求項１の方法。
【請求項１４】
前記少なくとも１つの制御信号の１つは、前記送信信号路に直接配置された回路エレメントを調整する、請求項１の方法。
【請求項１５】
前記少なくとも１つの制御信号の１つは前記送信信号路に動作可能に接続された回路エレメントを調整する、請求項１の方法。
【請求項１６】
前記変調された信号はＣＤＭＡ信号である、請求項１の方法。
【請求項１７】
下記工程を具備する、ＣＤＭＡ送信機からの出力信号の位相回転を供給するための方法：
少なくとも１つのデータストリームおよび１対のＰＮシーケンスを受信する；
前記受信した少なくとも１つのデータストリームを前記受信した１対のＰＮシーケンスで拡散し、拡散データを発生する；
前記拡散データを変調し、変調された信号を発生する；
前記変調された信号を少なくとも１つの回路エレメントで条件づけし、出力信号を発生する；
少なくとも１つの制御信号を受信する、各制御信号は前記少なくとも１つの回路エレメントの１つ以上の特定の特性を調整するように構成され、前記少なくとも１つの制御信号の１つは、送信信号路のアクティブ回路エレメントのバイアス電流を調節するように供給される；
前記受信した少なくとも１つの制御信号により定義される動作状態に対応する位相回転を決定する；および
前記決定された位相回転に関連する量だけ前記ＰＮシーケンス対の位相を回転し、出力信号の位相回転を供給する。
【請求項１８】
下記工程を具備する、送信信号路からの変調された信号の位相を調整するための方法：
少なくとも１つの制御信号を受信する、各制御信号は送信信号路に関連する１つ以上の回路エレメントの特定の特性を調整するように供給され、前記少なくとも１つの制御信号の１つは、前記送信信号路のアクティブ回路エレメントのバイアス電流を調節するように供給される；
前記受信した少なくとも１つの制御信号により定義される動作状態に対応する位相調整値を決定する；および
前記決定された位相調整値に関連する量だけ前記変調された信号の位相を調整する。
【請求項１９】
下記手段を具備する送信機：
少なくとも１つのデータストリームと少なくとも１つのキャリア信号を受信して乗算し変調された信号を発生するように構成されたシグナルプロセッサ；
前記シグナルプロセッサと接続され、前記変調された信号を受信し、条件づけし出力信号を発生するように構成された少なくとも１つの回路エレメント、少なくとも１つの制御信号は前記少なくとも１つの回路エレメントに供給され、各制御信号は前記少なくとも１つの回路エレメントの１つ以上の特定の特性を調整するように構成され、および前記少なくとも１つの回路エレメントは前記少なくとも１つの制御信号の１つにより決定されたバイアス電流を有するアクティブ回路エレメントを含む；および
前記シグナルプロセッサと接続され、前記少なくとも１つの制御信号を受信し、前記受信した少なくとも１つの制御信号により定義される動作状態に対応する位相回転を決定するように構成されたコントローラ、前記出力信号の位相は前記決定された位相回転に関連した量だけ回転される。
【請求項２０】
前記シグナルプロセッサは、
１対のＰＮシーケンスを用いて前記少なくとも１つのデータストリームを受信しスペクトル的に拡散するように構成されたスプレッダから構成され、
前記変調された信号の位相は前記ＰＮシーケンスの位相を回転することにより回転される、請求項１９の送信機。
【請求項２１】
前記シグナルプロセッサは、
同相キャリア信号および直角キャリア信号を用いて前記少なくとも１つのデータストリームを受信して変調し、変調された信号を発生するように構成された変調器から構成され、
前記変調された信号の位相は同相キャリア信号および直角キャリア信号の位相を回転することにより回転される、請求項１９の送信機。
【請求項２２】
前記コントローラは、
前記少なくとも１つの制御信号を受信し、前記受信した少なくとも１つの制御信号により定義された動作状態に対応する前記位相回転を供給するように構成されたルックアップテーブルで構成される、請求項１９の送信機。
【請求項２３】
前記位相回転は離散インクリメントで実行される請求項２０の送信機。
【請求項２４】
前記少なくとも１つの回路エレメントは、前記少なくとも１つの制御信号の１つにより決定された利得を有する可変利得エレメントを含む、請求項１９の送信機。
【発明の詳細な説明】
【０００１】
【発明の属する技術分野】
この発明はデータ送信に関する。特に、この発明は変調された信号の位相を回転するための方法および装置に関する。
【０００２】
【従来の技術】
多くの通信システムにおいて、受信装置に送信する前にデータは、処理され、変調され、調整される。データ処理は、圧縮のための符号化、エラー検出／訂正のためのコーディング、直交チャネルを与えるためのカバリング(covering)、データをスペクトル的に分散するための拡散等を含むことができる。次に、処理されたデータは１つ以上の搬送波信号を用いて変調され、送信により適した変調された信号を発生する。１／４位相シフトキーイング（ＱＰＳＫ）、オフセットＱＰＳＫ、直交振幅変調（ＱＡＭ）、周波数変調（ＦＭ）、振幅変調（ＡＭ）およびその他のような種々の変調機構を用いることができる。変調された信号は一般に送信する前にさらに調整（例えばバッファリングされ、増幅され、濾波される等）される。
【０００３】
信号処理は、送信信号路内の多数の回路エレメントにより実行され、これらのエレメントの幾つかは信号に歪みを生じる。例えば回路エレメント（例えば増幅器、ミクサ）の非線形性は相互変調ひずみを発生し得る。さらに、回路エレメントは変調された信号に位相回転を導入することができる。慣習的に、これらのひずみは回路エレメントの適切な設計により受け入れることのできるレベルに維持される。
【０００４】
性能を改良し、システムキャパシティを高めるために、送信信号路は送信装置の動作条件に基づいて選択的に制御される回路エレメントを含むことができる。送信信号路は、可変出力送信電力レベルを提供するように調節可能な利得を有する、例えば１つ以上の可変利得エレメントを含めることができる。送信信号路はさらに、必要とされる（例えば線形性、帯域）性能を供給しつつ電力消費を低減するように調節可能なバイアス電流を有するアクティブ回路エレメントを含むことができる。
【０００５】
送信信号路の可変回路エレメントが調節されるにつれ変調された信号の特性を変化させることができる。特に、回路エレメントが調節されるにつれ、変調された信号の位相を回転させることができる。回路エレメントが段階的に調節されると、変調された信号は位相の不連続を含み、これは性能を悪化させる。このような相転位は受信機において追跡することができる。しかしながら、これは位相推定の帯域に制限を設ける。非常に低い信号対雑音比（ＳＮＲ）で動作させるために狭帯域推定器（即ち長い時定数を持つ）を使用することが望ましいが、今度は追跡性能が悪化する。
【０００６】
従って、送信信号路に関連して回路エレメントの調整による位相回転を補償するために変調された信号の位相を回転することのできる技術が大いに望まれる。
【０００７】
【課題を解決するための手段】
この発明は、送信信号路に関連する回路エレメントにより導入される位相回転を補償するために、変調された信号の位相回転を調節するための技術を提供する。反対方向にかつほぼ同時に回路エレメントにより導入されたほぼ同じ量だけ変調された信号の位相を回転することにより、変調された信号の位相の不連続が低減される。位相回転の補償は、送信信号路の種々のロケーションで実行することができる。いくつかの実施形態において、位相回転は、データ、スペクトル的にデータを拡散するのに使用されるＰＮシーケンス、あるいはデータを変調するために使用されるキャリア信号のいずれかを回転することによりデジタルに実行される。位相回転補償は、ＣＤＭＡ、ＴＤＭＡ、ＦＤＭＡおよびその他を含む多くの変調技術に適用可能であり、そしてＱＰＳＫ、ＯＱＰＳＫ、ＰＳＫ、ＱＡＭ、その他を含む多くの変調フォーマットに適用可能である。
【０００８】
この発明の実施形態は、送信信号路からの変調された信号の位相回転を提供するための方法を提供する。この方法に従って少なくとも１つの制御信号が受信される。各制御信号は送信信号路に関連する１つ以上の回路エレメント（例えばＶＧＡ、ＰＡ）の特別の特性（例えば利得、バイアス電流）を調整するために提供される。回路エレメントは送信信号路に直接設置したり、あるいは動作可能に接続したりすることができる。従って、受信された少なくとも１つの制御信号により定義される動作状態に対応する位相回転が決定され、変調された信号の位相は、決定された位相回転に関連するまたは近似する量だけ回転される。
【０００９】
位相回転は複素数乗算器で達成可能であり、デジタルで実行することができる。また、回路エレメントが調整されるので、変調された信号の位相の不連続性が低減するように位相の回転は指定された回数で実行することができる。位相回転の大きさはいかなる解像度および正確さであってもよく、ルックアップテーブルに格納することができる。
【００１０】
いくつかのＣＤＭＡシステムに対して、変調された信号の位相は、スペクトル的にデータを拡散するのに使用されるＰＮシーケンスの位相を回転することにより回転される。これらのシステムに対して少なくとも１つのデータストリームと１対のＰＮシーケンスが受信される。受信されたデータストリームは次にＰＮシーケンスを用いてスペクトル的に拡散される。ＰＮシーケンスはＩＳ−９５−Ａ規格により定義される短いＰＮ  ＩシーケンスおよびＰＮ  Ｑシーケンスから構成することができる。
【００１１】
この発明の他の実施形態はＣＤＭＡ送信機からの出力信号の位相回転を提供するための方法を提供する。この方法に従って、少なくとも１つのデータストリームと１対のＰＮシーケンスが受信される。受信されたデータストリームは次にＰＮシーケンスを用いてスペクトル的に拡散され、拡散データを発生する。拡散データは変調されて変調された信号が発生され、次に少なくとも１つの回路エレメントにより調節され出力信号を発生する。少なくとも１つの制御信号が受信され、各制御信号は、１つ以上の回路エレメントの特定の特性（例えば利得、バイアス電流）を調節するために使用される。受信された制御信号により定義された動作状態に対応する位相の回転が決定され、ＰＮシーケンスの位相は、決定された位相回転に関連したまたは近似する量だけ回転され出力信号の位相回転を提供する。
【００１２】
この発明のさらに他の実施形態は、コントローラに接続されるとともに少なくとも１つの回路エレメントに接続されるシグナルプロセッサを含む。シグナルプロセッサは少なくとも１つのデータストリームを少なくとも１つのキャリア信号を受信して乗算し、変調された信号を発生する。回路エレメントは変調された信号を受信して調整し出力信号を発生する。少なくとも１つの制御信号が回路エレメントに供給され、各制御信号は１つ以上の回路エレメントの特定の特性を調節するように構成される。コントローラは制御信号を受信し、受信された制御信号により定義された動作状態に対応する位相回転を決定する。出力信号の位相は、決定された位相回転に関連したあるいは近似する量だけ回転される。
【００１３】
シグナルプロセッサは、拡散データを発生するために１対のＰＮシーケンスを用いてデータストリームを受信しスペクトル的に拡散するスプレッダを含むことができる。あるいはまたはさらに、シグナルプロセッサは同相のキャリア信号および直角キャリア信号を用いてデータストリーム（群）を受信して変調し、変調された信号を発生する変調器を含むことができる。変調された信号の位相は、ＰＮシーケンスの位相、データストリームの位相、あるいはキャリア信号の位相を回転することにより、回転することができる。コントローラはまた、制御信号（群）を受け取り、受信した制御信号（群）により定義される動作状態に対応した位相回転値を供給するルックアップテーブルを含むことができる。
【００１４】
この発明は、送信信号路に関連する回路エレメントにより導入された位相シフトを補償するために変調された信号の位相調整を提供するように拡張し得る。
【００１５】
【発明の実施の形態】
この発明の特徴、性質、および利点は、同一部には同符号を付した図面とともに下記詳細な説明を参照することによりさらに明白となる。
【００１６】
図１はこの発明の位相回転機構を包含する送信機１００の特定実施形態のブロック図を示す。送信機装置１１０内において、データソース１１２からのデータがデータフレームに分割されエンコーダ１１４に供給される。コントローラ１１６はデータソース１１２からのデータの分割と転送を指示することができ、さらにさらなるデータとメッセージをエンコーダ１１４に供給することができる。エンコーダ１１４は特別のエンコーディングフォーマットに従って
受信したデータおよびメッセージをエンコードし、エンコードされたデータをスプレッダ１１８に供給する。スプレッダ１１８はまた、１対の擬似ランダム雑音（ＰＮ）シーケンスをＰＮ発生器１２０から受信し、ＰＮシーケンスを用いてエンコードされたデータおよびメッセージをスペクトル的に拡散し拡散データを発生する。拡散データは、特別の変調フォーマット（例えばＱＰＳＫ）に従って中間周波キャリア信号（ＩＦ＿ＬＯ）を用いてデータを変調し、ＩＦ変調信号を発生する変調器（ＭＯＤ）１２２に供給される。スプレッダ１１８と変調器１２２は、データ、ＰＮシーケンス、およびＩＦキャリア信号（ＩＦ＿ＬＯ）を受信し、ＩＦ変調信号を発生するシグナルプロセッサの一部である。回路エレメントのいくつかについて下記に詳細に説明する。
【００１７】
ＩＦ変調信号は、信号をバッファリングし、バッファリングした信号をミクサ１３２に供給するバッファ１３０に供給される。ミクサ１３２はまた無線周波数（ＲＦ＿ＬＯ）において、他のキャリア信号（例えば正弦曲線）を受信し、バッファリングした信号をＲＦ＿ＬＯでアップコンバートし、ＲＦ信号を発生する。ミクサ１３２は複素数乗算器で実現し得る。ＲＦ信号はコントローラ１１６からの利得制御信号により決定される利得で信号を増幅する可変利得増幅器（ＶＧＡ）１３４に供給される。増幅されたＲＦ信号は、必要な信号駆動を与える電力増幅／駆動回路（ＰＡ／ＤＲＶ）１３６に供給される。電力を保存するために、ＰＡ／ＤＲＶ１３６のバイアス電流はコントローラ１１６からのバイアス制御信号により調整可能である。
【００１８】
ＰＡ／ＤＲＶ１３６からの変調信号は一般に外部フィルタにより濾波され、画像および偽の信号が除去される。濾波された信号は次にアイソレータおよびデュプレクサに導かれ、アンテナを介して受信装置に送信される。これらのエレメントは図１には示していない。
【００１９】
送信機１００は種々の符号分割多元接続（ＣＤＭＡ）規格を実現するように設計可能である。例えば、送信機１００は（１）”ＴＩＡ／ＥＩＡ／ＩＳ−９５−Ａ  デュアルモード広域拡散スペクトルセルラシステムのための移動局―基地局互換性規格”、（２）”デュアルモード拡散スペクトラルセルラおよびＰＣＳ移動局のための推奨される最小限性能規格”というタイトルがつけられたＴＩＡ／ＥＩＡ／ＩＳ−９８−Ａ、−Ｂ、−Ｃ、（３）ｃｄｍａ２０００ＩＴＵ−Ｒ  ＲＴＴ候補提案、および（４）”ＥＴＳＩ  ＵＭＴＳ  無線アクセス（ＵＴＲＡ）ＩＴＵ−Ｒ  ＲＴＴ候補提案”、これらは、ここでは、それぞれＩＳ−９５−Ａ規格、ＩＳ−９８規格、ＩＳ−２０００規格または提案、ＷＣＤＭＡ規格または提案とそれぞれ呼ばれるが、これらに準拠するように設計可能である。これらの規格は参照することによりこの明細書に包含される。
【００２０】
送信機１００はさらに、米国特許第４，９０１，３０７号（発明の名称：「衛生または地上リピータを用いた拡散スペクトル多重アクセス通信システム」）、米国特許第５，１０３，４５９号（発明の名称：「ＣＤＭＡセルラ電話システムにおいて波形を発生するためのシステム及び方法」）、および米国特許出願第０８／９６３，３８６号（発明の名称：「高レートパケットデータ送信のための方法および装置」、提出日：１９９７年１１月３日）に記載されているような種々のＣＤＭＡアーキテクチャを実現するように設計可能である。これらの特許および特許出願はこの発明の譲受人に譲渡され、参照することによりこの明細書に組み込まれる。当業者には、この発明が上述したＣＤＭＡ規格およびアーキテクチャおよび係属しているおよび将来のＣＤＭＡ規格およびアーキテクチャへの応用に採用することができことは認識されるであろう。
【００２１】
図１に示す送信機実施形態に種々の変更を行なうことができる。例えば、デジタルシグナルプロセッシングは、図１に示すものよりもさらに多く、あるいはさらに少なく、あるいは異なる工程を含めることができる。例えばシグナルプロセッシングは、この技術において知られているシンボル反復、シンボルパンクチャリング、インターリービング等を含めることができる。また、より少ないあるいはさらなるフィルタ、バッファ、ミクサおよび増幅段を送信信号路に設けることができる。エレメントはさらに異なる構成にアレンジすることができる。異なる数の集積回路および／または別個のエレメントを使用可能であるけれども、特定の実現方法において、送信機装置１１０は１つの集積回路内で実現し、残りの回路エレメントは他の集積回路内で実現可能である。
【００２２】
図１に示すように、送信信号路に関連する回路エレメントのいくつかのある特性を調整することはときとして利点があるあるいは必要なことである。例えば、出力送信電力レベルの調整を可能にするために１つ以上の可変利得エレメント（例えばＶＧＡ１３４）を設けることができる。利得調整は、たとえばシステム内の他の装置の干渉を低減しつつ受信装置における特定のレベルの性能（例えば特定のビットエラーレート）を維持する必要があるかもしれない。さらに、送信信号路内のいくつかの回路エレメント（例えばＰＡ／ＤＲＶ１３６）は電力を節約し、動作寿命を延ばすためにそれらのバイアス電流を調節するようにしてもよい。調節可能なバイアス電流を有した増幅器の例は、この発明の譲受人に譲渡され、参照することによりこの明細書に組み込まれる米国特許出願第０９／０３４，９７９（発明の名称：「調節可能なバイアス電流を有した増幅器」）に記載されている。高出力送信電力レベルで送信するときに高いバイアス電流が一般に使用され、他のときは、電力を節約するために低バイアス電流が使用される。
【００２３】
回路エレメントの調整は所望の回路特性（例えば利得、バイアス電流）に影響を及ぼすが、処理される信号の他の特性にも影響を及ぼすかもしれない。例えば、ＶＧＡ１３４の利得の調整は予想通りに信号レベルに影響を及ぼすが、変調された信号の位相にも影響を及ぼす。これは望ましくなく受け入れられないかもしれない。同様に、ＰＡ／ＤＲＶ１３６のバイアス電流の調整は予想通りに回路の駆動能力に影響を及ぼすが、一般に変調された信号の位相にも影響を及ぼす。変調された信号の位相は送信信号路に関連する回路エレメントを調節するのに使用される制御信号により変化または回転する。
【００２４】
この発明に従って、変調された信号の位相は回路エレメントの調整による位相回転を補償するために回転される。例えば、可変利得エレメントが一方の利得設定から他の利得設定に調整されるとき特定の位相回転が導入される場合に、変調された信号の位相は、回路調整とほぼ同時に、ほぼ同じ量だけ、かつ反対方向に回転される。このようにして、変調された信号の位相の不連続性が減少され、受信装置に改良された復調性能とさらに良いシグナルトラッキングを与えることができる。
【００２５】
位相回転補償は送信信号路に沿ったいかなるポイントにおいても行なうことができる。特定の実施形態において、位相回転は、実現の容易性および首尾一貫した性能を提供するためにデジタルで行なわれる。明瞭にするために、この発明の位相回転の特定の実現を特定の送信機設計に対して以下に記載する。
【００２６】
図２はスプレッダ１１８の特定の実施形態のブロック図である。スプレッダ１１８は複素数乗算器であり、”複素数”データ入力（ＩＤＡＴＡ＋ＪＱＤＡＴＡとして表される）と”複素数”ＰＮシーケンス（ＰＮ＿Ｉ＋ｊＰＮ＿Ｑとして表される）を受取り、複素数データ入力を複素数ＰＮシーケンスと乗算し、”複素数”データ出力（ＩＯＵＴ＋ｊＱＯＵＴとして表される）を供給する。実際の実現においては、ＩＤＡＴＡとＱＤＡＴＡは単に２つの入力データストリームであり、ＰＮ＿ＩおよびＰＮ＿Ｑは単に２つのＰＮシーケンスである。ＰＮ＿ＩシーケンスとＰＮ＿Ｑシーケンスは、特定のＣＤＭＡ規格あるいは実現されるシステムにより定義された２つのＰＮコードから発生された拡散スペクトル信号である。ＩＤＡＴＡおよびＱＤＡＴＡはＰＮ＿ＩシーケンスおよびＰＮ＿Ｑシーケンスとの乗算によりスペクトル的に拡散され、その結果得られた積はすべて加算されてＩＯＵＴ拡散データ出力およびＱＯＵＴ拡散データ出力を発生する。
【００２７】
図２に示すように、スプレッダ１１８はＩＤＡＴＡとＱＤＡＴＡおよびＰＮ＿ＩシーケンスとＰＮ＿Ｑシーケンスを受信する。ＩＤＡＴＡは乗算器２１０ａおよび２１０ｃに供給され、ＱＤＡＴＡは乗算器２１０ｂおよび２１０ｄに供給される。同様に、ＰＮ＿Ｉシーケンスは乗算器２１０ａおよび２１０ｄに供給され、ＰＮ＿Ｑシーケンスは乗算器２１０ｂおよび２１０ｃに供給される。各乗算機２１０は受信した入力データを受信したＰＮシーケンスと乗算あるいはスペクトル的に拡散し各出力スプレッドデータを発生する。乗算器２１０ａおよび２１０ｂの出力は、加算器２１２ａに供給され、乗算器２１０ａの出力から乗算器２１０ｂの出力を減算しＩＯＵＴスプレッドデータを発生する。同様に、乗算器２１０ｃおよび２１０ｄの出力は加算器２１２ｂに供給され量出力を結合してＱＯＵＴスプレッドデータを出力する。スプレッダ１１８により実行される関数およびスプレッドデータ出力は以下の如くに表すことができる。
【００２８】
【数１】
0004680458.tif 000002
スプレッダ１１８は複素数乗算動作を介してＰＮ＿ＩシーケンスおよびＰＮ＿Ｑシーケンスを用いてＩＤＡＴＡおよびＱＤＡＴＡを効率的に変調する。
【００２９】
図３は変調器１２２の特定の実施形態のブロック図を示す。スプレッドデータＩＯＵＴおよびＱＯＵＴはデータを濾波する各フィルタ３１４ａおよび３１４ｂに供給される。フィルタ３１４はまた、この技術において知られている態様でゼロフィルおよびローパスフィルタリングを行なうことにより受信したデータをオーバサンプルすることもできる。フィルタ３１４ａおよび３１４ｂからの処理されたデータは、データをＩアナログ信号およびＱアナログ信号に変換する各デジタル−アナログコンバータ（ＤＡＣｓ）３１６ａおよび３１６ｂに供給する。アナログ信号は、ＤＡＣ３１６の変換レートの複数倍（例えば１×、２×、３×、・・・）で画像を消去するロウパスフィルタ３１８ａおよび３１８ｂに供給される。フィルタ３１４または３１８はこの技術で知られている態様でｓｉｎｘ／ｘ訂正を行なうことができる。ＩおよびＱの濾波された信号は各乗算器３２０ａおよび３２０ｂに供給される。乗算器３２０ａおよび３２０ｂはまたＩＦ＿ＬＯから発生された各同相（Ｉ＿ＬＯ）キャリア信号および直角（Ｑ＿ＬＯ）キャリア信号を受信する。各乗算器３２０は各キャリア信号を用いてデータを変調し、変調された成分を発生する。ＩおよびＱの変調された成分は加算器３２２に供給され各成分が結合されＩＦ変調信号が発生される。乗算器３２０と加算器３２２は同相キャリア信号および直角キャリア信号を用いてＩ信号およびＱ信号の直角変調を行なう。
【００３０】
いくつかの送信機設計において、直角変調はデジタルで行なわれる。これらの送信機設計において、各フィルタ３１４ａおよび３１４ｂからのＩおよびＱデータは同相および直角キャリア信号を用いてデジタル的に変調される。デジタルＩおよびＱ変調成分は次に結合され、恐らく濾波され、ＩＦ変調された信号を発生するＤＡＣに供給される。
【００３１】
図４はＰＮ＿ＩシーケンスおよびＰＮ＿Ｑシーケンスを発生するように設計されたＰＮ発生器１２０の特定の実施形態のブロック図を示す。特定の実施形態において、送信されるデータはロングＰＮコードおよびショートＰＮコードを用いて拡散される。ロングＰＮコードは、受信装置（例えば基地局）が特定の送信装置（例えば移動局）を確認することができるようにデータをスクランブルする。ショートＰＮコードは全体の利用可能なシステム帯域に対してデータをスペクトル的に拡散する。図４に示すように、ロングＰＮシーケンスは、ロングＰＮコードに基づいてロングコードジェネレータ４３２により発生され、乗算器４３６ａおよび４３６ｂに供給される。１対のショートＰＮシーケンスは、１対のショートＰＮコードに基づいてショートコードジェネレータ４３４により発生され、乗算器４３６ａおよび４３６ｂに供給される。ロングＰＮコードおよびショートＰＮコードはＣＤＭＡ規格（例えばＩＳ−９５−Ａ規格）により定義されたものである。
【００３２】
各乗算器４３６は受信したロングＰＮシーケンスおよびショートＰＮシーケンスを乗算し、各出力ＰＮシーケンスを発生する。乗算器４３６ａおよび４３６ｂからのＩＰＮシーケンスおよびＱＰＮシーケンスは、制御信号ＣＴＲＬにより指示されるように、シーケンスを位相回転する位相回転回路４３９に供給される。位相回転されたＰＮ＿ＩシーケンスおよびＰＮ＿Ｑシーケンスはデータを拡散するために使用される。タイミング／コントロール回路４３０はＰＮシーケンスを特定の時間に開始できるようにＰＮジェネレータ４３２および４３４のためのタイミング信号を供給する。
【００３３】
図２および図３に戻ると、ＩＤＡＴＡおよびＱＤＡＴＡは最初に、ＰＮ＿ＩシーケンスおよびＰＮ＿Ｑシーケンスを用いて拡散され、次に、Ｉ＿ＬＯおよびＱ＿ＬＯを用いて変調される。この発明の位相回転は、これらの段のいずれかまたは両方で実行可能である。拡散段（すなわち乗算器２１０を介して）における位相回転は、以下に述べるようにＰＮシーケンスの位相またはデータの位相を回転することにより実行することができる。変調段における位相回転はＩ＿ＬＯキャリア信号およびＱ＿ＬＯキャリア信号を回転することにより実行することができる。
【００３４】
図５は直角ＰＮシーケンスの位相回転を示す図である。ＩＰＮシーケンスおよびＱＰＮシーケンス（すなわち位相回転回路４３８の入力）はそれぞれ水平軸および垂直軸上のフェーザーとして示される。ＰＮ＿ＩシーケンスおよびＰＮ＿Ｑシーケンス（すなわち位相回転回路４３８の出力）は破線フェーザーとして示される。出力ＰＮシーケンス（例えばＰＮ＿Ｑ）と入力ＰＮシーケンス（例えばＱＰＮ）との間の位相差はθROTの位相回転である。ＰＮ＿ＩおよびＰＮ＿Ｑシーケンスは以下のように計算することができる。
【００３５】
【数２】
0004680458.tif 000003
この発明の特定の実現方法において、図１に示す送信機１００の場合について説明する。この場合、２つの制御信号ＣＴＲＬ［１：０］が設けられる。一方の制御信号（例えばＣＴＲＬ１）はＶＧＡ１３４の利得を調節し、他方の制御信号（例えばＣＴＲＬ０）はＰＡ／ＤＲＶ１３６のバイアス電流を調節する。ＣＴＲＬ［１：０］の特定の制御設定値の各セットは送信機の特定の動作状態を定義する。例えば、ＣＴＲＬ［１：０］＝００の制御値は低利得、低バイアス電流動作状態を定義することができ、０１の制御値は低利得、高バイアス電流動作状態を定義することができ、１０の制御値は、高利得、低バイアス電流動作状態を定義することができ、１１の制御値は高利得、高バイアス電流動作状態を定義することができる。各動作状態は、変調された信号の特定の位相回転に関連づけることができる。動作状態の１つは、ゼロの位相回転を有するベースライン状態として指定される。残りの動作状態は、各々ベースライン状態に対する特定の位相回転に関連づけられる。例えばＣＴＲＬ［１：０］＝００、０１、１０、および１１は０、π／２、πおよび３π／２の位相回転にそれぞれ関連づけることができる。
【００３６】
送信機が新しい動作状態に調節または設定されると、新しい動作状態に関連する位相回転が決定される。次に、ＰＮシーケンスの位相が、新しい動作状態で動作する回路エレメントによる位相回転を補償するために、決定された位相回転により回転される。ＰＮシーケンスは、回路エレメントが調節されるときとほぼ同時に回転される。ＰＮシーケンスの位相をほぼ同時に、反対方向に、ほぼ同量回転させることにより、変調された信号の位相の不連続性が低減される。
【００３７】
制御信号ＣＴＲＬ［１：０］により確認される各動作状態は４つの可能な位相回転値に関連づけられる。簡単な実現方法において、０、π／２、πおよび３π／２の４つの位相回転値が設けられ、信号ＰＨＡＳＥ［１：０］により識別される。この実現方法において、位相回転されたＰＮ＿ＩシーケンスおよびＰＮ＿Ｑシーケンスは表１に示すように入力ＩＰＮシーケンスおよびＱＰＮシーケンスから発生させることができる。
【００３８】
【表１】
0004680458.tif 000004
制御信号ＣＴＲＬ［１：０］により識別される新しい動作状態が選択されると、この新しい動作状態に関連づけられた位相回転が決定される。位相回転値への動作状態のマッピングは、ルックアップテーブル（ＬＵＴ）、組合せのロジックあるいは他の実現方法により得ることができる。次に、ＰＮ＿ＩシーケンスおよびＰＮ＿Ｑシーケンスは必要に応じて、信号ＰＨＡＳＥ［１：０］により識別される量だけ調節され、所望の位相回転を提供する。
【００３９】
図６は表１に示す位相回転を実現する位相回転回路４３８ａの特定の実施形態のブロック図を示す。この実施形態において、各動作状態は１または４つの可能な位相回転値に関連づけられる。制御信号ＣＴＲＬ［１：０］は特定の動作状態を識別し、信号ＰＨＡＳＥ［１：０］は特定の位相回転値を識別する。制御信号ＣＴＲＬ［１：０］はクロック信号ＣＬＫによりクロックされるレジスタ６４２に供給される。レジスタ６４２からのレジスタされた値はルックアップテーブル６４４に供給される。ルックアップテーブル６４４は受信した制御信号ＣＴＲＬ［１：０］により定義される特定の動作状態に関連づけられた位相値を供給する。位相回転値は信号ＰＨＡＳＥ［１：０］に供給される。
【００４０】
表１に示すように、ＰＮ＿ＩシーケンスおよびＰＮ＿Ｑシーケンスはゼロの位相回転に対してそれぞれＩＰＮシーケンスおよびＱＰＮシーケンスに等しい。π／２および３π／２の位相回転に対しては、ＩＰＮシーケンスおよびＱＰＮシーケンスはスワッピングされる。また、ＱＰＮシーケンスはπ／２およびπの位相回転に対して反転される。イクスクルーシブＯＲ（ＸＯＲ）ゲート６４６およびマルチプレクサ（ＭＵＸｅｓ）６４８はこれらの関係を実現するために使用される。信号ＰＨＡＳＥ１はＸＯＲゲート６４６ａの第１入力に供給され、ＩＰＮシーケンスはＸＯＲゲート６４６ａの第２入力に供給される。ＸＯＲゲート６４６ａは位相回転がπまたは３π／２のとき、ＩＰＮシーケンスを反転する。ＸＯＲゲート６４６ａの出力はＭＵＸ６４８ａの”０”入力およびＭＵＸ６４８ｂの”１”入力に供給される。
【００４１】
信号ＰＨＡＳｅ［１：０］はＸＯＲゲート６４６ｂの入力に供給される。位相回転がπ／２またはπのとき、ＸＯＲゲート６４６ｂはＱＰＮシーケンスを反転するのに使用されるロジックハイを発生する。ＸＯＲゲート６４６ｂの出力はＸＯＲゲート６４６ｃの一方の入力に供給されＱＰＮシーケンスはＸＯＲゲート６４６ｃの第２入力に供給される。ＸＯＲゲート６４６ｃは位相回転がπ／２またはπのときＱＰＮシーケンスを反転する。ＸＯＲゲート６４６ｃの出力はＭＵＸ６４８ａの”１”入力に供給されるとともにＭＵＸ６４８ｂの”０”入力に供給される。位相回転がπ／２または３π／２のとき信号ＰＨＡＳＥ０はＭＵＸ６４８ａおよび６４８ｂのセレクト（Ｓ）入力に供給されＰＮシーケンスをスワップする。
【００４２】
レジスタ６４２はまた指定された回数レジスタを更新可能にするイネーブル信号ＥＮも受信する。イネーブル信号ＥＮはＰＮシーケンスの位相回転を、送信信号路に関連する回路エレメントの調整に合わせるように使用することができる。このようにして、変調された信号の位相が回路エレメントの調整により回転すると、変調された信号に対して対応する位相回転の補償が実行され、回路エレメントによる位相回転がほぼキャンセルされる。リセット信号ＲＥＳＥＴはレジスタをリセットするために使用することができ、例えばソフトウエアリセットビットがセットされたときあるいはハードウエアリセットラインがアクティブになったときアサート（例えばロジックハイ）にすることができる。
【００４３】
図６に示す簡単な実施形態において、２つの制御信号ＣＴＲＬ［１：０］が設けられる。各制御信号は１つの回路エレメントを制御し、”０”または”１”のいずれかの値を有する。一般に、送信信号路はいかなる数の調整可能な回路エレメントを含めることができる。さらに、各回路エレメントはいくつもの状態の１つに調整可能である。例えば、ＶＧＡの利得を４ビットの分解能で調整し、回路エレメントのバイアス電流を８ビットの分解能で調整することが望ましい。回路エレメントの各特定の設定は送信信号路の特定の動作状態に対応する。各動作状態は変調された信号の特定の位相回転に関連づけることができるけれども、可能動作状態のサブセットに対してのみ位相回転補償を与えることが望ましい。上述の例の場合、回路エレメントのバイアス電流は８ビットの分解能で調整可能であるが、この回路エレメントに対して３つの最上位ビットにより定義される８つの動作状態に対して位相回転補償を与えることが望ましい。
【００４４】
一般に、各制御信号は１つ以上の回路エレメント特定の特性を調整するために使用することができる。例えば、１つの共通の制御信号を用いて送信信号路内の２つのＶＧＡの利得を調整することが望ましい。簡単のために、位相回転補償が望まれるＭ個以上の回路エレメントに対するＭ個の制御信号は、Ｎビットに結びつけられる、但しＭ≦Ｎである。
【００４５】
図７はいくつもの位相回転値を発生するために使用することができる位相回転回路４３８ｂの特定の実施形態のブロック図である。制御信号ＣＴＲＬ［Ｎ−１：０］のＮビットはクロック信号ＣＬＫでクロックされるレジスタ７４２に供給される。レジスタされた値はルックアップテーブル７４４に供給される。ルックアップテーブル７４４は受信した制御信号により定義される動作状態に関連づけられる位相回転値を供給する。
【００４６】
実施形態において、Ｌ位相回転値はルックアップテーブル７４４に記憶される。受信制御信号ＣＴＲＬ［Ｎ−１：０］により定義される各動作状態はＬ個の位相回転値の１つに関連づけられる。実施形態において、ルックアップテーブル７４４に記憶された各位相回転値はＰビットの分解能を有し０と２πの間の特定の位相回転を識別する。受信された制御信号により定義された動作状態に対応する位相回転値θＦはＬＵＴ７４４から、ＩＰＮシーケンスおよびＱＰＮシーケンスをも受信する複素数乗算器７４６に供給される。乗算器７４６は式（４）および（５）に従って、受信したＰＮシーケンスを、受信した位相回転値θＦの適切なｓｉｎｅおよびｃｏｓｉｎｅと乗算し、位相回転されたＰＮシーケンスを発生する。位相回転値θＦは式（４）および（５）における位相回転値θＲＯＴの代わりに用いられる。乗算器７４６は入力ＩＰＮおよびＱＰＮシーケンスから０と２πとの間の位相回転を有する出力ＰＮ＿ＩおよびＰＮ＿Ｑシーケンスを供給する。
【００４７】
複素数乗算器７４６はロジック、ルックアップテーブルおよび他の回路で実現可能である。複素数乗算器７４６はルックアップテーブル７４４と一緒に集積することもできる。各ＩＰＮシーケンスおよびＱＰＮシーケンスは１ビットの分解能を有する。乗算器７４６からの出力ＰＮシーケンスの各々は典型的にＫビットの分解能を有する。２Ｋ・２Ｐ＋２ビットを有するルックアップテーブルは複素数乗算器７４６を実現するために使用することができる。出力ＰＮシーケンスは正弦曲線の性質を有するので、ルックアップテーブルは正弦曲線の１つの四分円を記憶し、記憶された四分円から残りの３つの四分円を引き出すことにより簡単化することができる。
【００４８】
図７は回路エレメントが調整されると変調された信号の位相不連続性が低減されるように回路エレメントに供給された制御信号を合わせるための機構も示す。制御信号ＣＴＲＬ［Ｎ−１：０］は各制御信号を適切な量だけ遅延させる遅延エレメント７４８に供給される。図１を参照すると、ＰＡ／ＤＲＶ１３６のためのバイアス制御信号はＶＧＡ１３４のための利得制御信号よりもわずかに遅延されＶＧＡ１３４の遅延を補償することができる。遅延エレメント７４８からの遅延された制御信号は回路エレメントに供給される。
【００４９】
上述したように、位相回転は送信信号路の種々のロケーションにおいて行なうことができる。例えば、位相回転は複素数データ（すなわち、ＩＤＡＴＡおよびＱＤＡＴＡ）、複素数ＰＮシーケンス（すなわちＩＰＮおよびＱＰＮ）あるいはキャリア信号（すなわちＩ  ＬＯおよびＱ  ＬＯ）で実行できる。これらの種々の位相回転のフォームは以下のように表すことができる。
【００５０】
【数３】
0004680458.tif 000005
ただしｓ（ｔ）は出力変調信号を、ｍ（ｔ）はデータシーケンスを、ｐ（ｔ）はＰＮシーケンスを、および
【数４】
0004680458.tif 000006
はキャリア信号を表す。
【００５１】
図８Ａおよび８Ｂはこの発明の位相回転の２つの実現方法のブロック図を示す。図８Ａは拡散データの位相回転を示し、図８ＢはＰＮ拡散シーケンスの位相回転を示す。
【００５２】
図８Ａにおいて、スプレッダ８１０は複素数ＰＮシーケンス（ＩＰＮおよびＱＰＮ）を用いて複素数データ（ＩＤＡＴＡおよびＱＤＡＴＡ）を受信して拡散し、拡散データを位相回転器８１２に供給する。位相回転器８１２はさらに所望の位相回転（θＲＯＴ）を示す信号を受信し、拡散データをθＲＯＴの位相量だけ回転する。位相回転は上述したようにデジタル的にあるいは変調段において行なうことができる。
【００５３】
図８Ｂにおいて、位相回転回路８２０は、θＲＯＴの位相量だけ複素数ＰＮシーケンス（ＩＰＮおよびＱＰＮ）を受信して回転し、回転されたＰＮシーケンス（ＰＮ＿ＩおよびＰＮ＿Ｑ）をスプレッダ８２２に供給する。スプレッダ８２２はさらに複素数ＰＮシーケンス（ＰＮ＿ＩおよびＰＮ＿Ｑ）を用いて複素数データ（ＩＤＡＴＡおよびＱＤＡＴＡ）を受信して拡散し、拡散データを発生する。いくつかの特定の実現方法の場合（例えば９０°のインクリメントの位相回転）、上述したようにＰＮシーケンスは典型的に１ビットの分解能を有し、位相回転は簡単な回路で得ることができるので、この実現法は計算上さらに効率が良い。
【００５４】
回路エレメントの調節により生じた変調信号の位相回転の量は種々の手段を介して決定可能である。例えば、位相回転は回路シミュレーション、送信機の経験的な測定あるいは他の手段により決定可能である。各回路構成の場合（すなわち、制御信号ＣＴＲＬ［Ｎ−１：０］により定義される各特定の動作状態）変調された信号の位相が決定される。ベースライン動作状態が選択され、各残りの動作状態に関連づけられる位相値がベースライン状態の位相値と比較されその動作状態の位相回転値を得る。各動作状態はこのようにして特定の位相回転値にマッピングまたは関連づけられる。
【００５５】
実施形態において、ルックアップテーブルは種々の動作状態のための位相回転を記憶する。送信機がイニシャライズされるかあるいはリセット信号が受信されると、ルックアップテーブルがロードできる。あるいは制御信号が状態を変更すると位相回転値がシステムバスに供給し得る（すなわち、他の集積回路から）。
【００５６】
上記記載において、位相回転補償はＰＮシーケンスの位相を回転することにより提供される。位相回転はまた図２のＩＤＡＴＡおよびＱＤＡＴＡのようなデータを回転することにより与えることができる。いくつかの送信機設計において、データはＰＮシーケンスよりも多いビット数の分解能で構成するようにしてもよい。この場合はＰＮシーケンスの回転は少ない回路数でよい。
【００５７】
位相回転補償は送信信号路に沿った他の点においても実行することができる。例えば、位相回転はまたデータを変調するのに使用されるキャリア信号を回転することにより実行することもできる。図３に戻ると、濾波されたＩデータおよびＱデータは、乗算器３２０ａおよび３２０ｂから構成される変調器により、同相（Ｉ＿ＬＯ）キャリア信号および直角（Ｑ＿ＬＯ）キャリア信号によりそれぞれ変調される。変調段において、位相を回転するために、同相キャリア信号および直角キャリア信号の位相は回転され、変調された信号の要求された位相回転を提供することができる。
【００５８】
この発明のいくつかの実施形態において、位相の回転は実現の容易性のためにデジタル的に実行され、首尾一貫した性能を提供する。ステップサイズは信号ＰＨＡＳＥの分解能に応じて変化し得るがデジタル実現法は離散したステップで位相回転を可能にする。位相回転はまた、アナログ信号を用いて（例えば変調段において）行なうこともできる。アナログ実現法はより連続した態様で位相回転の補償を可能にする。
【００５９】
図１に示すエレメントは種々の態様で実現可能である。デジタル処理エレメント（例えばエンコーダ１１４、スプレッダ１１８）は特別の回路を有したハードウエアで、あるいはプロセッサ（例えばコントローラ１１６）上で実行されるソフトウエアにより、あるいはその両方の組合せにより実現可能である。コントローラ１１６は、マイクロコンピュータ、マイクロプロセッサ、プロセッサ、シグナルプロセッサ、特定用途向け集積回路（ＡＳＩＣ）、あるいはここに述べた機能を遂行するように設計された他の電子装置により実現可能である。ルックアップテーブルは、ランダムアクセスメモリ（ＲＡＭ）、ダイナミックＲＡＭ（ＤＲＡＭ）、リードオンリメモリ（ＲＯＭ）、プログラマブルＲＯＭ（ＰＲＯＭ）、電子的にプログラム可能なＲＯＭ（ＥＰＲＯＭ）、フラッシュメモリ、他のメモリ装置あるいはそれらの組合せにより実現可能である。
【００６０】
図１に示すように、制御信号ＣＴＲＬ［１：０］は直接送信路に配置された回路エレメントの特性を調整する。この発明はまた、直接送信路にない他の回路エレメントの調整により位相回転を補償するためにも使用することができる。例えば、電圧制御発振器（ＶＣＯ）およびその関連するバッファはバイアス電流を調整して電力消費を低減することができる。これらの回路エレメントのバイアス電流を調整すると、変調された信号に位相回転を生じることのできるＶＣＯにより発生される信号の位相に変化を生じさせる。従って、ＶＣＯおよび／またはバッファが調整されると、変調された信号の位相が回転してこれらの回路エレメントによる変調された信号の位相回転を補償する。
【００６１】
ここに記載した発明はＣＤＭＡ通信システムのような多くの通信システムに適用可能である。この発明は現在存在する種々のＣＤＭＡシステムおよび煩雑に考慮されている新システムに適用可能である。特定のＣＤＭＡシステムは上述した米国特許出願シリアル番号第０８／９６３，３８６に記載されている。このシステムは基地局と移動局において送信機装置にスプレッダを含む。スプレッダは上述したものと類似した態様で１対のＰＮシーケンスを用いて受信したデータをスペクトル的に拡散する。他のＣＤＭＡシステムは上述した米国特許第４，９０１，３０７および米国特許第５，１０３，４５９に開示されている。
【００６２】
この発明は特に、大レンジ（例えば８５ｄＢ）に対してその出力送信電力を調節する必要のあるＣＤＭＡシステムの移動局に適用可能である。移動局は、電力消費を低減し、装置の動作寿命を延ばすために、可変利得を有する複数の回路エレメントおよび調節可能なバイアス電流を有する複数の回路エレメントを含めることができる。
【００６３】
この発明は、時分割多元接続（ＴＤＭＡ）、周波数分割多元接続（ＦＤＭＡ）、周波数変調（ＦＭ）および振幅コンパンデッドシングルサイドバンド（ＡＣＳＳＢ）のような振幅変調（ＡＭ）機構のような他の変調技術を採用する他の通信システムにも適用可能である。この発明はまたブロードキャストテレビジョン、ページングおよびその他のような他の送信システムにも適用できる。
【００６４】
この発明は送信信号路に関連した回路エレメントにより導入された位相シフトにより変調された信号の位相調整を与えるように拡張することができる。回路エレメントが調節されると、変調された信号の位相不連続性を低減するために、回路エレメントにより導入された位相シフトを補償するために、変調された信号の位相がシフト可能である。
【００６５】
好適実施形態の上述した記載は、当業者がこの発明を作成しまたは使用することを可能にするために提供される。これらの実施形態における種々の変形例は当業者には容易であり、ここに定義される包括的原理は発明能力の使用なしに他の実施形態に適用可能である。従って、この発明はここに示した実施形態に限定することを意図したものではなく、ここに開示した原理および新規な特徴に合致する最も広い範囲に一致する。
【図面の簡単な説明】
【図１】  この発明の位相回転機構を包含する送信機の特定の実施形態のブロック図を示す。
【図２】  スプレッダの特定の実施形態のブロック図を示す。
【図３】  変調器の特定の実施形態のブロック図を示す。
【図４】  ＰＮ発生器の特定の実施形態のブロック図を示す。
【図５】  １対の１／４ＰＮシーケンスの位相回転を示す図である。
【図６】  位相回転回路の２つの特定実施形態のブロック図を示す。
【図７】  位相回転回路の２つの特定実施形態のブロック図を示す。
【図８Ａ】  位相回転の２つの実現のブロック図を示す。
【図８Ｂ】  位相回転の２つの実現のブロック図を示す。
【符号の説明】
１００・・・送信機
１１０・・・送信機装置
１１２・・・データソース
１１４・・・エンコーダ
１１６・・・コントローラ
１１８・・・スプレッダ
１２０・・・ＰＮ発生器
１２２・・・変調器
１３０・・・バッファ
１３２・・・ミクサ
１３４・・・可変利得増幅器
１３６・・・電力増幅／駆動回路
２１０ａ、２１０ｂ、２１０ｃ、２１０ｄ・・・乗算器
２１２ａ・・・加算器
３１４ａ、３１４ｂ・・・フィルタ
３１６ａ、３１６ｂ・・・デジタル−アナログコンバータ
３１８ａ、３１８ｂ・・・ロウパスフィルタ
３２０ａ、３２０ｂ・・・乗算器
３２２・・・加算器
４３０・・・タイミング／コントロール回路
４３２・・・ロングコードジェネレータ
４３４・・・ショートコードジェネレータ
４３６ａ、４３６ｂ・・・乗算器
４３８ｂ・・・位相回転回路
４３９・・・位相回転回路
６４２・・・レジスタ
６４６・・・イクスクルーシブＯＲゲート
６４８・・・マルチプレクサ
７４２・・・レジスタ
７４４・・・ルックアップテーブル
７４６・・・複素数乗算器
７４８・・・遅延エレメント
８１２・・・位相回転器
【図１】
0004680458.tif 000007
【図２】
0004680458.tif 000008
【図３】
0004680458.tif 000009
【図４】
0004680458.tif 000010
【図５】
0004680458.tif 000011
【図６】
0004680458.tif 000012
【図７】
0004680458.tif 000013
【図８Ａ】
0004680458.tif 000014
【図８Ｂ】
0004680458.tif 000015